(57)【要約】【課題】浴槽が空の時に高温さし湯が行われても危険な状態を回避することができる高温さし湯機能付き貯湯式温水器を提供する。【解決手段】高温さし湯スイッチ８３がオン操作されると（ステップＳ１）、温水電磁弁２２が開弁され貯湯タンク３２内の高温水が浴槽２０１へ供給される（ステップＳ２）。高温さし湯運転が開始されると湯はり流量センサー４５により検出される湯はり流量が２．５Ｌ／ｍｉｎを下回ることがないかどうかを監視する（ステップＳ３）。湯はり流量が２．５Ｌ／ｍｉｎを所定時間下回る場合は、浴槽２０１内が空の状態で風呂アダプタ２０２の高温水遮断弁２１２が閉弁されているため、リモコン７１により異常を報知し（ステップＳ５）、温水電磁弁２２を閉弁し貯湯タンク３２内の高温水が供給され続けるのを防止する（ステップＳ６）。【選択図】　図３
2004077064.tif 000002
【特許請求の範囲】
【請求項１】
貯湯タンクと、貯湯タンク内の水を加熱するための加熱部と、貯湯タンク内の高温水を浴槽へ供給するための温水開閉弁と、浴槽への高温水の供給水量を検出するための湯張り水量検出手段と、高温水を浴槽へ供給するために浴槽壁面に備えられ高温水制限機能部を備えた風呂アダプタとから成る高温さし湯機能付き貯湯式温水器において、高温水を浴槽へ供給する高温さし湯中に前記湯張り水量検出手段の検出流量が所定値以下になった場合に、前記温水開閉弁を閉止することを特徴とした高温さし湯機能付き貯湯式温水器。
【請求項２】
貯湯タンクと、貯湯タンク内の水を加熱するための加熱部と、貯湯タンク内の高温水を浴槽へ供給するための温水開閉弁と、給水源からの水を浴槽へ供給するための水開閉弁と、浴槽への高温水および給水源からの水の供給水量を検出するための湯張り水量検出手段と、高温水ならびに給水源からの水を浴槽へ供給するために浴槽壁面に備えられ高温水制限機能部を備えた風呂アダプタとから成る高温さし湯機能付き貯湯式温水器において、高温水を浴槽へ供給する高温さし湯中に前記湯張り水量検出手段の検出流量が所定値以下になった場合に、前記水開閉弁を開弁することを特徴とした高温さし湯機能付き貯湯式温水器。
【発明の詳細な説明】
【０００１】
【発明の属する技術分野】
本発明は、浴槽内に高温水を供給することで浴槽内を追焚する機能を備えた給湯機に関するものであり、その中でも特に貯湯式の高温さし湯機能付き温水器に関するものである。
【０００２】
【従来の技術】
図５は、従来の高温さし湯機能付き給湯機を示す構成図であり、ガス給湯機を例として上げている。この従来の高温さし湯機能付き給湯機２０３は、給水源からの給水流量を検出するための給水水量センサー２０５、ガスバーナ２０４により加熱され水を加熱するための熱交換器２０９、出湯温度を検出するための出湯温度センサー２０６、浴槽へのお湯の供給を開始／停止するための温水電磁弁２０７、温水を浴槽２０１へ導くためのお湯張り管２０８、浴槽２０１の壁面に設置され浴槽２０１へお湯を供給するための風呂アダプタ２０２から構成される。給湯機の操作を指示するためのリモコンのお湯張りスイッチ（図示せず）をオン操作すると、温水電磁弁２０７が開弁し、給水源からの水が高温さし湯機能付給湯機２０３内に流入する。給水量は給水水量センサー２０５で検出され、給水量が所定量を越えているときにはガスバーナ２０４の燃焼を許容し、所定量以下であるときにはガスバーナ２０４の燃焼を許容しないように構成されている。給水量が所定量を超えている場合は、ガスバーナ２０４の燃焼が開始され、熱交換器２０９により加熱され、お湯張り管２０８、風呂アダプタ２０２を介して浴槽２０１内にお湯が供給される。浴槽２０１へ供給されるお湯の温度は出湯温度センサー２０６により検出されリモコンにより設定されている温度どおりになるようにガスバーナ２０４の燃焼量をコントロールするようになっている。お湯張り設定温度は３８℃〜４５℃、浴槽水を追焚するための高温さし湯温度は８０℃に設定されている。
【０００３】
図２は風呂アダプタ２０２の構成図である。風呂アダプタ２０２の内部には形状記憶合金ばね２１１とバイアスばね２１３により付勢される高温水遮断弁２１２と、高温水遮断弁と対をなす弁座部２１４が設けられている。形状記憶合金ばね２１１の変態温度は６０℃程度に設定されており、浴槽２０１内に入浴可能な温度のお湯がある場合にはばね定数が低くなっており、浴槽２０１内が空で高温水が直接触れる場合には、ばね定数が大きくなるようになっている。よって、浴槽２０１が空の状態で高温水が供給されると形状記憶合金ばね２１１の付勢力がバイアスばね２１３の付勢力よりも大きくなり高温水遮断弁２１２が弁座部２１４に押し付けられ高温水の供給量を減少させることができる。さらに詳しく説明すると、高温水遮断弁２１２が閉止状態にあるとき（すなわち危険モード時）には高温さし湯機能付給湯機２０３の給水水量センサー２０５を通過する水量が低くなり、ガスバーナ２０４を燃焼させないようにして浴槽２０１に高温の湯が直接に供給されることを防止するようにしたものである。なお、この実施例では、高温水遮断弁２１２が閉止状態にあるときにも所定量（約２．５Ｌ／ｍｉｎ）の水が流れるように構成されており、給水水量センサー２０５による検出水量が２．５Ｌ／ｍｉｎ以下になるとガスバーナ２０４の燃焼が停止され、給水水量センサー２０５の検出水量が３．５Ｌ／ｍｉｎ以上になるとガスバーナ２０４の燃焼が許容されるように構成されている。また、高温水遮断弁２１２が閉止状態にあるときにも所定量（約２．５Ｌ／ｍｉｎ）流れるようになっているため、風呂アダプタへの流入温度が安全な温度に低下した場合に高温水遮断弁２１２が再度、開弁され初期状態に復帰できるようになっている。このように給水水量センサー２０５により検出される給水量が、風呂アダプタ２０２の高温水遮断弁２１２が閉止状態にあるときに高温水遮断弁２１２を通過する湯量以下である場合には、ガスバーナ２０４を燃焼させないように構成されており、高温水遮断弁２１２が閉止状態になったときにガスバーナ２０４の燃焼が停止されるため、高温の湯が浴槽２０１に供給されることが確実に防止され安全な給湯を行うことが可能となっている。
【０００４】
このような実施例は特開平８−９４１８４、特開平８−２４７５５６により開示されている。
【０００５】
【発明が解決しようとする課題】
しかしながら、あらかじめ高温のお湯を貯湯しておくタイプの貯湯式温水器においては、貯湯式温水器を使う給湯システムでも前記のガス給湯機システムと部材共通で設計されるため風呂アダプタ２０２の安全構造も完全に高温水を遮断する構造ではない。
【０００６】
よって、貯湯されている高温のお湯が浴槽内に流れ込んでしまい危険を回避できないという問題点があった。
【０００７】
本発明は上記課題を解決するためになされたもので、本発明の目的は、浴槽が空及び少量の貯湯時に高温さし湯が行われ、風呂アダプターの高温水遮断弁が働き高温水が制限されても危険な状態を回避することができる高温さし湯機能付き貯湯式温水器を提供することにある。
【０００８】
【課題を解決するための手段及びその作用・効果】
上記目的を達成するために請求項１では、貯湯タンクと、貯湯タンク内の水を加熱するための加熱部と、貯湯タンク内の高温水を浴槽へ供給するための温水開閉弁と、浴槽への高温水の供給水量を検出するための湯張り水量検出手段と、高温水を浴槽へ供給するために浴槽壁面に備えられ、高温水制限機能部を備えた風呂アダプタとから成る高温さし湯機能付き貯湯式温水器において、高温水を浴槽へ供給する高温さし湯中に前記湯張り水量検出手段の検出流量が所定値以下になった場合に、前記温水開閉弁を閉止することとした。
【０００９】
よって、浴槽が空の状態で高温さし湯が行われた場合に、風呂アダプタの高温水制限機能部が作動し、湯張り水量検出手段の検出流量が所定値以下に低下すると、高温さし湯機能付き貯湯式温水器の温水開閉弁が閉止され浴槽内への高温水の供給が停止するために、浴槽が空の時に高温さし湯が行われても危険な状態を回避することができる。
【００１０】
請求項２では、貯湯タンクと、貯湯タンク内の水を加熱するための加熱部と、貯湯タンク内の高温水を浴槽へ供給するための温水開閉弁と、給水源からの水を浴槽へ供給するための水開閉弁と、浴槽への高温水ならびに給水源からの水の供給水量を検出するための湯張り水量検出手段と、高温水ならびに給水源からの水を浴槽へ供給するために浴槽壁面に備えられ高温水制限機能部を備えた風呂アダプタとから成る高温さし湯機能付き貯湯式温水器において、高温水を浴槽へ供給する高温さし湯中に前記湯張り水量検出手段の検出流量が所定値以下になった場合に、前記水開閉弁を開弁することとした。
【００１１】
よって、浴槽が空の状態で高温さし湯が行われた場合に、風呂アダプタの高温水制限機能部が作動し、湯張り水量検出手段の検出流量が所定値以下に低下すると、浴槽内へ所定量の水を供給して浴槽内の水の温度を低下させるため、浴槽が空及び少量の貯湯時に高温さし湯が行われても危険な状態を回避することができる。
【００１２】
【発明の実施の形態】
以下、本発明の実施の形態を、図面により詳細に説明する。
【００１３】
図１は、本発明の一実施形態に係わる高温さし湯機能付き貯湯式温水器１００を電気温水器に適用した構成図である。
【００１４】
給水源からの水は減圧弁１で減圧され、減圧弁１の下流で給水管２とバイパス管３とに分岐される。バイパス管３は、下流の給湯混合比調整弁４６Ａに通じており、給水温度を検出する給水温度センサー４１、断水時など配管内に負圧が生じた際に負圧をキャンセルするためのバキュームブレーカー５１を備えている。給水管２は加熱部３１に通じており、加熱部３１は貯湯タンク３２、下部ヒーター３３、上部ヒーター３４から構成されている。貯湯タンク３２内の水は、下部ヒーター３３、上部ヒーター３４によりタンク下部温度センサー３７、タンク上部温度センサー３８の検出温度が高温（例えば８５℃）になるように加熱される。貯湯タンク３２の容量は浴槽にお湯を張るのに十分な容量（１５０Ｌ以上）に設計されている。さらに、貯湯タンク３２の下部には排水バルブ３６を備える。また、貯湯タンク３２の上部には貯湯タンク３２内の水の加熱時に発生する膨張水を逃すための逃がし弁３５を備える。当実施例では貯湯タンク３２内の水は電気ヒーターにより加熱されるが、電気ヒーターの代わりにヒートポンプで加熱するように構成してもよい。
【００１５】
ステッピングモーターにより駆動される給湯混合比調整弁４６Ａでは、バイパス管３からの水と高温給湯管４からの高温水を混合し、適温の湯が給湯管８Ａへ供給される。バイパス管３は給水逆止弁２３Ａを介して給湯混合比調整弁４６Ａに通じており、また、高温給湯管４は高温水逆止弁２２Ａを介して給湯混合比調整弁４６Ａに通じており、バイパス管３内の水が高温給湯管４に流れ込んだり、逆に高温給湯管４内の高温水がバイパス管３に流れ込むことことを防止している。給湯管８Ａには給湯温度を検出するための給湯温度センサー４３Ａ、給湯管８Ａへ供給される湯の流量を検出するための給湯流量センサー４４を備えている。さらに高温給湯管４には加熱部３１から供給される高温の湯の温度を検出するための高温水温度センサー４２を備えている。
【００１６】
高温給湯管４はさらに下流の高温給湯管５と、高温水の供給を開始／停止するための温水電磁弁２２を介して、湯はり混合比調整弁４６Ｂに通じている。一方、バイパス管３はバキュームブレーカー５１の下流で分岐し、バイパス管７と、水の供給を開始／停止するための水電磁弁２３を介して、湯はり混合比調整弁４６Ｂに通じている。
【００１７】
ステッピングモーターにより駆動される湯はり混合比調整弁４６Ｂでは、バイパス管７からの水と高温給湯管５からの高温水を混合し、高温水、水、適温の湯のいずれかが湯はり給湯管９へ供給される。湯はり給湯管９には、湯はり温度を検出するための湯はり温度センサー４３Ｂ、湯はり給湯管９へ供給される湯水の流量を検出するための湯はり流量センサー４５および湯はり逆止弁５２、５３を備えている。湯はり給湯管９はさらに浴槽２０１の壁面に取り付けられた風呂アダプター２０２に通じている。
【００１８】
さらに、高温さし湯機能付き貯湯式温水器１００は、タンク下部温度センサー３７、タンク上部温度センサー３８、給水温度センサー４１、高温水温度センサー４２、給湯温度センサー４３Ａ、給湯流量センサー４４、湯はり温度センサー４３Ｂ、湯はり流量センサー４５等の検出信号およびリモコン７１からの指示に基づき、下部ヒーター３３、上部ヒーター３４、給湯混合比調整弁４６Ａ、湯はり混合比調整弁４６Ｂ、温水電磁弁２２、水電磁弁２３等を制御するための本体制御部７０を備えている。
【００１９】
リモコン７１には、給湯管８Ａから供給される湯の設定温度Ｔｓを設定する給湯温度設定スイッチ８５、浴槽６２へ湯はりする湯の設定温度Ｔｆｓを設定する湯はり温度設定スイッチ８６、浴槽６２へ湯はりする湯量を設定する湯はり量設定スイッチ８７、浴槽６２へ湯張りする際にオン操作する湯はりスイッチ８２、浴槽６２内に高温水を供給する際にオン操作する高温さし湯スイッチ８３、浴槽６２内に水を供給する際にオン操作する差し水スイッチ８４、給湯設定温度Ｔｓ、湯はり設定温度Ｔｆｓ等や加熱装置の運転情報などを文字表示する表示部８１、音声により加熱装置の運転情報を報知するスピーカー８８を備える。また、リモコン７１と本体制御部７０は通信線７２で結ばれており、運転指示情報や運転情報を相互通信している。
【００２０】
図３は本発明の第一の実施例を示す制御フローである。まず、リモコン７１の高温さし湯スイッチ８３がオン操作されると（ステップＳ１）、温水電磁弁２２が開弁され貯湯タンク３２内の高温水が浴槽２０１へ供給される（ステップＳ２）。高温さし湯運転が開始されると湯はり流量センサー４５により検出される湯はり流量が２．５Ｌ／ｍｉｎを下回ることがないかどうかを監視する（ステップＳ３）。湯はり流量が２．５Ｌ／ｍｉｎを所定時間下回る場合は、浴槽２０１内が空の状態で風呂アダプタ２０２の高温水遮断弁２１２が閉弁されているため、リモコン７１により異常を報知し（ステップＳ５）、温水電磁弁２２を閉弁し貯湯タンク３２内の高温水が供給され続けるのを防止する（ステップＳ６）。よって、貯湯式の温水器であってもタンク内の高温水が浴槽２０１内に供給され続けることを防止することができる。ステップＳ３で湯はり流量が２．５Ｌ／ｍｉｎ以上の場合は浴槽２０１内には湯が満たされた状態であるためそのまま高温さし湯運転を継続し、湯はり量が３０Ｌになると温水電磁弁２２を閉弁し（ステップＳ６）、高温さし湯運転を終了する。
【００２１】
図４は本発明の第二の実施例を示す制御フローである。図３との違いは異常報知後にステップＳ６で温水電磁弁２２を閉弁した後の工程である。すなわち、温水電磁弁２２を閉弁した後、水電磁弁２３を開弁し、給水源からの水を浴槽２０１内へ供給する（ステップＳ７）。供給水量が５０Ｌになると（ステップＳ８）、水電磁弁２３を閉弁し（ステップＳ９）、浴槽２０１への給水運転を終了する。よって、貯湯式の温水器であってもタンク内の高温水が浴槽２０１内に供給され続けることを防止することができ、かつ風呂アダプタ２０２の高温水遮断弁２１２が作動するまでに供給された浴槽２０１内の高温水の温度を低下させることができる。
【図面の簡単な説明】
【図１】本発明の一実施形態に係わる高温さし湯機能付き貯湯式温水器１００を電気温水器に適用した構成図
【図２】風呂アダプタ２０２の構成図
【図３】本発明の第一の実施例を示す制御フロー
【図４】本発明の第二の実施例を示す制御フロー
【図５】従来の高温さし湯機能付き給湯機を示す構成図
【符号の説明】
１　　…減圧弁
２２　…温水電磁弁
２３　…水電磁弁
３３　…下部ヒーター
３４　…上部ヒーター
７０　…本体制御部
７１　…リモコン
８３　…高温さし湯スイッチ
１００…高温さし湯機能付き貯湯式温水器
２０１…浴槽
２０２…風呂アダプター
２１１…形状記憶合金ばね
２１２…高温水遮断弁
２１３…バイアスばね
２１４…弁座部
【図１】
2004077064.tif 000003
【図２】
2004077064.tif 000004
【図３】
2004077064.tif 000005
【図４】
2004077064.tif 000006
【図５】
2004077064.tif 000007